(57)【要約】【課題】テレビ装置側に特別な構成を設けなくても電話の着信時に遠隔操作でテレビの音量を自動調整できるようにすることを課題とする。【解決手段】  電話機能を有する携帯端末の一例である携帯電話３において、テレビ装置などの外部機器の音量をミュート制御するためのコマンド情報を記憶部３０７に記憶しておき、電話の着信があればリモコンアプリ３２により、コマンド情報を読み出して音量を下げるコマンド信号を生成し、その生成されたコマンド信号を赤外線送信部３４に出力して、赤外線送信部３４でコマンド信号を赤外線信号に変換して送出することにより音量をミュート制御する。【選択図】図１
2005295272.tif 000002
【特許請求の範囲】
【請求項１】
電話機能を有する携帯端末であって、
外部機器の音量を制御するためのコマンド情報を記憶するコマンド記憶手段と、
電話の着信を判定する判定手段と、
前記判定手段で電話の着信を確認した場合に前記コマンド記憶手段に記憶されたコマンド情報を読み出して音量を下げる信号を生成する第１信号生成手段と、
前記第１信号生成手段で生成された信号を光信号に変換して送出する第１光送出手段と、
を備えたことを特徴とする携帯端末。
【請求項２】
前記第１信号生成手段は、音量を一定量まで下げるように繰り返し信号を生成し、前記第１光送出手段は、前記第１信号生成手段で信号が生成される度に光信号の送出を行うことを特徴とする請求項１に記載の携帯端末。
【請求項３】
さらに、
電話のオンフック信号を検出する検出手段と、
前記検出手段でオンフック信号が検出された場合に前記コマンド記憶手段に記憶されたコマンド情報を読み出して音量を上げる信号を生成する第２信号生成手段と、
前記第２信号生成手段で生成された信号を光信号に変換して送出する第２光送出手段と、
を備えたことを特徴とする請求項１または２に記載の携帯端末。
【請求項４】
前記第２信号生成手段は、音量を前記一定量まで上げるように繰り返し信号を生成し、前記第２光送出手段は、前記第２信号生成手段で信号が生成される度に光信号の送出を行うことを特徴とする請求項３記載の携帯端末。
【請求項５】
電話機能を有する携帯端末であって、
外部機器の音量をミュート制御するためのコマンド情報を記憶するコマンド記憶手段と、
電話の着信を判定する判定手段と、
前記判定手段で電話の着信を確認した場合にミュートするための前記コマンド記憶手段に記憶されたコマンド情報を読み出す第１読み出し手段と、
前記第１読み出し手段で読み出されたコマンド情報を光信号に変換して一定期間だけ送出する第２光送出手段と、
を備えたことを特徴とする携帯端末。
【請求項６】
さらに、
電話のオンフック信号を検出する検出手段と、
前記検出手段でオンフック信号が検出された場合にミュート解除するための前記コマンド記憶手段に記憶されたコマンド情報を読み出す第２信号生成手段と、
前記第２信号生成手段で生成された信号を光信号に変換して送出する第２光送出手段と、
を備えたことを特徴とする請求項５に記載の携帯端末。
【請求項７】
電話機能および赤外線出力機能を有する携帯端末による外部機器の音量制御方法であって、
電話の着信を判定する第１ステップと、
外部機器の音量を制御するためのコマンド情報をメモリに記憶しており、前記第１ステップで電話の着信を確認した場合に前記メモリに記憶されたコマンド情報を読み出して音量を下げる信号を生成する第２ステップと、
前記第２ステップで生成された信号を光信号に変換して送出する第３ステップと、
を含んだことを特徴とする外部機器の音量制御方法。
【請求項８】
前記第２ステップは、音量を一定量まで下げるように繰り返し信号を生成し、前記第３ステップは、前記第２ステップで信号が生成される度に光信号の送出を行うことを特徴とする請求項７に記載の外部機器の音量制御方法。
【請求項９】
さらに、
電話のオンフック信号を検出する第４ステップと、
前記第４ステップでオンフック信号が検出された場合に前記メモリに記憶されたコマンド情報を読み出して音量を上げる信号を生成する第５ステップと、
前記第５ステップで生成された信号を光信号に変換して送出する第６ステップと、
を含んだことを特徴とする請求項７または８に記載の外部機器の音量制御方法。
【請求項１０】
前記第５ステップは、音量を前記一定量まで上げるように繰り返し信号を生成し、前記第６ステップは、前記第５ステップで信号が生成される度に光信号の送出を行うことを特徴とする請求項９記載の外部機器の音量制御方法。
【請求項１１】
電話機能および赤外線出力機能を有する携帯端末による外部機器の音量制御方法であって、
電話の着信を判定する第１ステップと、
外部機器の音量をミュート制御するためのコマンド情報をメモリに記憶しており、前記第１ステップで電話の着信を確認した場合にミュートするための前記メモリに記憶されたコマンド情報を読み出す第２ステップと、
前記第２ステップで読み出されたコマンド情報を光信号に変換して一定期間だけ送出する第３ステップと、
を含んだことを特徴とする外部機器の音量制御方法。
【請求項１２】
さらに、
電話のオンフック信号を検出する第４ステップと、
前記第４ステップでオンフック信号が検出された場合にミュート解除するための前記メモリに記憶されたコマンド情報を読み出す第５ステップと、
前記第５ステップで生成された信号を光信号に変換して送出する第６ステップと、
を含んだことを特徴とする請求項１１に記載の外部機器の音量制御方法。
【請求項１３】
通話部および光送出部を有する携帯端末のコンピュータにより実行可能な外部機器の音量制御プログラムであって、
前記コンピュータに、
前記通話部から電話の着信を判定する第１ステップと、
音響機器の音量を制御するためのコマンド情報をメモリに記憶しており、前記第１ステップで電話の着信を確認した場合に前記メモリに記憶されたコマンド情報を読み出して音量を下げる信号を生成する第２ステップと、
前記第２ステップで生成された信号を前記光送出部に出力する第３ステップと、
を実行させることを特徴とする外部機器の音量制御プログラム。
【請求項１４】
前記第２ステップは、音量を一定量まで下げるように繰り返し信号を生成し、前記第３ステップは、前記第２ステップで信号が生成される度に前記光送出部に出力を行うことを特徴とする請求項１３に記載の外部機器の音量制御プログラム。
【請求項１５】
さらに、
電話のオンフック信号を検出する第４ステップと、
前記第４ステップでオンフック信号が検出された場合に前記メモリに記憶されたコマンド情報を読み出して音量を上げる信号を生成する第５ステップと、
前記第５ステップで生成された信号を前記光送出部に出力する第６ステップと、
を含んだことを特徴とする請求項１３または１４に記載の外部機器の音量制御プログラム。
【請求項１６】
前記第５ステップは、音量を前記一定量まで上げるように繰り返し信号を生成し、前記第６ステップは、前記第５ステップで信号が生成される度に光送出部に出力を行うことを特徴とする請求項１５記載の外部機器の音量制御プログラム。
【請求項１７】
通話部および光送出部を有する携帯端末のコンピュータにより実行可能な外部機器の音量制御プログラムであって、
前記コンピュータに、
前記通話部から電話の着信を判定する第１ステップと、
音響機器の音量をミュート制御するためのコマンド情報をメモリに記憶しており、前記第１ステップで電話の着信を確認した場合にミュートするための前記メモリに記憶されたコマンド情報を読み出す第２ステップと、
前記第２ステップで読み出されたコマンド情報を一定期間だけ光送出部に出力する第３ステップと、
を実行させることを特徴とする外部機器の音量制御プログラム。
【請求項１８】
さらに、
電話のオンフック信号を検出する第４ステップと、
前記第４ステップでオンフック信号が検出された場合にミュート解除するための前記メモリに記憶されたコマンド情報を読み出す第５ステップと、
前記第５ステップで生成された信号を光送出部に出力する第６ステップと、
を実行させることを特徴とする請求項１７に記載の外部機器の音量制御プログラム。
【発明の詳細な説明】
【技術分野】
【０００１】
本発明は、たとえば、携帯端末、外部機器の音量制御方法および外部機器の音量制御プログラムに関する。
【背景技術】
【０００２】
今日、テレビ装置、ＣＤラジオカセットなどの外部機器においては、赤外線信号を送出するリモコン装置によって制御することが可能である。テレビリモコンの場合には、テレビ番組のチャンネル切換え、音量レベルの増減などのリモート制御を赤外線信号によって行うことが可能である。
【０００３】
最近は、テレビ装置のリモコン操作を可能にするリモコンアプリを搭載した携帯電話が登場している。この場合には、携帯電話のリモコンアプリを起動させる必要がある。これにより、画面上に実際のリモコン装置と同様の仮想的な釦が配置されるので、この仮想的な釦に対応する実際の釦を操作することによりチャンネル切換え、音量調整などを実現することが可能である。
【０００４】
また、近年、テレビから音声、音楽等が出力されているときに電話機に電話がかかってくると、オフフックするまでテレビに対して電話機からミュートのための光信号を送出し続けるリモコンミュート機能付電話機が提案されている（特許文献１）。
【０００５】
【特許文献１】特開平５−３０８６８１号公報
【発明の開示】
【発明が解決しようとする課題】
【０００６】
しかしながら、上述した従来例では、オフフックのタイミングでミュートのための光信号の送出が停止されてしまうので、利用者が電話の呼出しにすばやく対応してオフフック動作に入ると、テレビの音量がミュート制御される前にミュートオン信号の送出が停止される危惧があった。それゆえ、テレビの音量がミュートされるのをまってオフフックするような場合には、電話をかけてきた相手を待たせてしまい、使い勝手の面で課題が残っていた。
【０００７】
また、テレビの音量を完全にミュートさせてしまうと、通話している間のテレビ番組の内容理解が途切れてしまうという危惧があった。
【０００８】
本発明の目的は、電話着信時においてオフフック操作のタイミングに関係なく、外部機器の音量を適度に自動調整することが可能な携帯端末、外部機器の音量制御方法および外部機器の音量制御プログラムを提供する点にある。
【課題を解決するための手段】
【０００９】
上述した課題を解決し、上記目的を達成するため、請求項１の発明に係る携帯端末は、電話機能を有する携帯端末であって、外部機器の音量を制御するためのコマンド情報を記憶するコマンド記憶手段と、電話の着信を判定する判定手段と、前記判定手段で電話の着信を確認した場合に前記コマンド記憶手段に記憶されたコマンド情報を読み出して音量を下げる信号を生成する第１信号生成手段と、前記第１信号生成手段で生成された信号を光信号に変換して送出する第１光送出手段と、を備えたことを特徴とするものである。
【００１０】
請求項２の発明は、請求項１の発明において、前記第１信号生成手段は、音量を一定量まで下げるように繰り返し信号を生成し、前記第１光送出手段は、前記第１信号生成手段で信号が生成される度に光信号の送出を行うようにしてもよい。
【００１１】
請求項３の発明は、請求項１または２において、さらに、電話のオンフック信号を検出する検出手段と、前記検出手段でオンフック信号が検出された場合に前記コマンド記憶手段に記憶されたコマンド情報を読み出して音量を上げる信号を生成する第２信号生成手段と、前記第２信号生成手段で生成された信号を光信号に変換して送出する第２光送出手段と、を備えたことを特徴とするものである。
【００１２】
請求項４の発明は、請求項３において、前記第２信号生成手段は、音量を前記一定量まで上げるように繰り返し信号を生成し、前記第２光送出手段は、前記第２信号生成手段で信号が生成される度に光信号の送出を行うようにしてもよい。
【００１３】
また、請求項５の発明に係る携帯端末は、電話機能を有する携帯端末であって、外部機器の音量をミュート制御するためのコマンド情報を記憶するコマンド記憶手段と、電話の着信を判定する判定手段と、前記判定手段で電話の着信を確認した場合にミュートするための前記コマンド記憶手段に記憶されたコマンド情報を読み出す第１読み出し手段と、前記第１読み出し手段で読み出されたコマンド情報を光信号に変換して一定期間だけ送出する第２光送出手段と、を備えたことを特徴とするものである。
【００１４】
請求項６の発明は、請求項５において、さらに、電話のオンフック信号を検出する検出手段と、前記検出手段でオンフック信号が検出された場合にミュート解除するための前記コマンド記憶手段に記憶されたコマンド情報を読み出す第２信号生成手段と、前記第２信号生成手段で生成された信号を光信号に変換して送出する第２光送出手段と、を備えたことを特徴とするものである。
【００１５】
請求項７の発明に係る外部機器の音量制御方法は、電話機能および赤外線出力機能を有する携帯端末による外部機器の音量制御方法であって、電話の着信を判定する第１ステップと、外部機器の音量を制御するためのコマンド情報をメモリに記憶しており、前記第１ステップで電話の着信を確認した場合に前記メモリに記憶されたコマンド情報を読み出して音量を下げる信号を生成する第２ステップと、前記第２ステップで生成された信号を光信号に変換して送出する第３ステップと、を含んだことを特徴とするものである。
【００１６】
請求項８の発明は、請求項７において、前記第２ステップは、音量を一定量まで下げるように繰り返し信号を生成し、前記第３ステップは、前記第２ステップで信号が生成される度に光信号の送出を行うようにしてもよい。
【００１７】
請求項９の発明は、請求項７または８において、さらに、電話のオンフック信号を検出する第４ステップと、前記第４ステップでオンフック信号が検出された場合に前記メモリに記憶されたコマンド情報を読み出して音量を上げる信号を生成する第５ステップと、前記第５ステップで生成された信号を光信号に変換して送出する第６ステップと、を含むようにしてもよい。
【００１８】
請求項１０の発明は、請求項９において、前記第５ステップは、音量を前記一定量まで上げるように繰り返し信号を生成し、前記第６ステップは、前記第５ステップで信号が生成される度に光信号の送出を行うようにしてもよい。
【００１９】
また、請求項１１の発明に係る外部機器の音量制御方法は、電話機能および赤外線出力機能を有する携帯端末による外部機器の音量制御方法であって、電話の着信を判定する第１ステップと、外部機器の音量をミュート制御するためのコマンド情報をメモリに記憶しており、前記第１ステップで電話の着信を確認した場合にミュートするための前記メモリに記憶されたコマンド情報を読み出す第２ステップと、前記第２ステップで読み出されたコマンド情報を光信号に変換して一定期間だけ送出する第３ステップと、を含むようにしてもよい。
【００２０】
請求項１２の発明は、請求項１１において、さらに、電話のオンフック信号を検出する第４ステップと、前記第４ステップでオンフック信号が検出された場合にミュート解除するための前記メモリに記憶されたコマンド情報を読み出す第５ステップと、前記第５ステップで生成された信号を光信号に変換して送出する第６ステップと、を含むようにしてもよい。
【００２１】
また、請求項１３の発明に係る外部機器の音量制御プログラムは、通話部および光送出部を有する携帯端末のコンピュータにより実行可能な外部機器の音量制御プログラムであって、前記コンピュータに、前記通話部から電話の着信を判定する第１ステップと、音響機器の音量を制御するためのコマンド情報をメモリに記憶しており、前記第１ステップで電話の着信を確認した場合に前記メモリに記憶されたコマンド情報を読み出して音量を下げる信号を生成する第２ステップと、前記第２ステップで生成された信号を前記光送出部に出力する第３ステップと、を実行させることを特徴とするものである。
【００２２】
請求項１４の発明は、請求項１３において、前記第２ステップは、音量を一定量まで下げるように繰り返し信号を生成し、前記第３ステップは、前記第２ステップで信号が生成される度に前記光送出部に出力を行うようにしてもよい。
【００２３】
請求項１５の発明は、請求項１３または１４において、さらに、電話のオンフック信号を検出する第４ステップと、前記第４ステップでオンフック信号が検出された場合に前記メモリに記憶されたコマンド情報を読み出して音量を上げる信号を生成する第５ステップと、前記第５ステップで生成された信号を前記光送出部に出力する第６ステップと、を含むようにしてもよい。
【００２４】
請求項１６の発明は、請求項１５において、前記第５ステップは、音量を前記一定量まで上げるように繰り返し信号を生成し、前記第６ステップは、前記第５ステップで信号が生成される度に光送出部に出力を行うようにしてもよい。
【００２５】
請求項１７の発明に係る外部機器の音量制御プログラムは、通話部および光送出部を有する携帯端末のコンピュータにより実行可能な外部機器の音量制御プログラムであって、前記コンピュータに、前記通話部から電話の着信を判定する第１ステップと、音響機器の音量をミュート制御するためのコマンド情報をメモリに記憶しており、前記第１ステップで電話の着信を確認した場合にミュートするための前記メモリに記憶されたコマンド情報を読み出す第２ステップと、前記第２ステップで読み出されたコマンド情報を一定期間だけ光送出部に出力する第３ステップと、を実行させることを特徴とするものである。
【００２６】
請求項１８の発明は、請求項１７において、さらに、電話のオンフック信号を検出する第４ステップと、前記第４ステップでオンフック信号が検出された場合にミュート解除するための前記メモリに記憶されたコマンド情報を読み出す第５ステップと、前記第５ステップで生成された信号を光送出部に出力する第６ステップと、を実行させるようにしてもよい。
【発明の効果】
【００２７】
本発明によれば、電話着信時においてオフフック操作のタイミングに関係なく、外部機器の音量を適度に自動調整することが可能な携帯端末、外部機器の音量制御方法および外部機器の音量制御プログラムを提供できるという効果を奏する。
【発明を実施するための最良の形態】
【００２８】
以下、本発明を実施するための最良の形態について、図面を参照して詳細に説明する。
本実施の形態では、電話機能を有する携帯端末の一例である携帯電話において、テレビ装置などの外部機器の音量を制御するためのコマンド情報を記憶しておき、電話の着信があればコマンド情報を読み出して音量を下げる信号を生成し、その生成された信号を赤外線信号に変換して送出するものである。または、電話機能を有する携帯端末の一例である携帯電話において、外部機器の音量をミュート制御するためのコマンド情報を記憶しておき、電話の着信を確認した場合にミュートするためのコマンド情報を読み出して、その読み出されたコマンド情報を光信号に変換して一定期間だけ送出するものである。
【００２９】
まず全体構成について説明する。図１は本発明の一実施の形態に係るシステムを概略的に説明する概略構成図である。このシステムは、たとえば図１に示したように、携帯端末（一例として携帯電話３）とサーバ１とを携帯電話網４およびインターネット５間で通信可能にしたものである。携帯電話網４は、図示せぬ基地局に接続され、パケット処理を司るパケット網４１と、インターネット５に接続され、当該インターネット５に接続される各種端末との通信を司るゲートウェイサーバ４２とを備え、携帯端末側からインターネット５への通信接続を可能にする構成である。
【００３０】
携帯電話３は、たとえば、ＨＴＴＰ（Hyper Text Transfer Protocol）によりウェブ閲覧を可能にするウェブブラウザ３１、赤外線受光部６１を具備したテレビ装置６のチャンネル切り替えを行うためのリモコンアプリケーション３２、テレビ放送の番組を表示するための番組情報テーブル３３などを記憶している。ここで、番組情報テーブル３３には、テレビ装置の機種に応じたリモコン制御用のコマンド体系によるコマンド情報が含まれる。携帯電話３は、ウェブブラウザ３１によりインターネット５の各サイトにアクセスしてウェブ閲覧などのサービスを享受可能である。携帯電話３は、赤外線送信部３４を具備しており、リモコンアプリケーション３２を起動させることで、番組情報テーブル３３に基づくテレビ番組に関する情報を表示したり、赤外線送信部３４からテレビ装置６に対してチャンネル切り替え、音量調整（増加／減少）、ミュート制御などための赤外線信号を送信することを可能にする。
【００３１】
サーバ１は、データベース２を接続させ、インターネット５を介して他の端末と通信を行うとともに、携帯電話網４およびインターネット５を介して携帯端末からのアクセスに応じてデータベース２に格納しているダウンロード用リモコンアプリケーション２１やテレビ放送の番組情報２２をダウンロードさせる処理をプログラム１１によって全体的に制御する。データベース２は、サーバ１に接続された大規模記憶装置であり、ダウンロード用リモコンアプリケーション２１、テレビ放送の番組情報テーブル２２などを記憶するとともにサーバ１の制御下で当該サーバ１に対して提供するものである。
【００３２】
つぎに、サーバ１、携帯電話３についてそれぞれ詳述する。図２は本実施の形態によるサーバ１の一内部構成例を示すブロック図、図３は本実施の形態による携帯電話３の一内部構成例を示すブロック図、そして、図４は本実施の形態による携帯電話３の外観形状の一例を示す図である。
【００３３】
サーバ１は、たとえば図２に示したように、インターネット５に接続され、このインターネット５を介して携帯端末、PCなどの他の機器との間の双方向通信を司る通信制御部１０１、ＣＰＵ、ＲＯＭ、ＲＡＭなどを備え、サーバ全体の制御を司る制御部１０２、時刻を計時する時計部１０３、他の端末に対してウェブブラウザ表示を提供したり、サーバ自体の処理を行うためのプログラム１１、各種パラメータなどを記憶する記憶部１０４、データベース２に接続され、データベース２との間でデータ授受を行うデータベースインタフェース１０５などのユニットを備え、各ユニットを内部のバスライン１０６に接続させてデータ、アドレス信号、制御信号などを伝送可能としている。
【００３４】
携帯電話３は、たとえば図３に示したように、アンテナ３０１を接続させた通信制御部３０２、制御部３０３、操作部３０４、赤外線送信部３４、表示部３０６、記憶部３０７、音声／サウンド制御部３０８などのユニットを備え、各ユニットをバスライン３１１に接続させてデータ、アドレス信号、制御信号などを伝送可能としている。
【００３５】
通信制御部３０２は、アンテナ３０１を介して携帯電話網４と無線通信を行う。この通信制御部３０２により、他の電話機能付端末との間で音声通話を実現したり、サーバ１との間でデータ通信を実現することができる。
【００３６】
制御部３０３は、ＣＰＵ、ＲＯＭ、ＲＡＭなどを備え、ＲＯＭや記憶部３０７の各種プログラムに従って携帯電話３全体の制御を行う。制御部３０３は、ウェブブラウザ３１（たとえばＪＡＶＡ（登録商標）アプリ）によってウェブ閲覧を制御するとともに、リモコンアプリケーション３２によって表示部３０６に対するテレビ番組表示の制御や赤外線送信部３４を用いたチャンネル切り替え、音量調整、ミュート制御などを行う。また、制御部３０３は、操作部３０４の操作入力に応じて各種の処理を実行するとともに各種の処理に応じた表示を制御する。
【００３７】
操作部３０４は、たとえば図４に示すように、電話番号や文字を入力するためのダイヤルキー３０４１、メインメニューを呼び出したり、画面上の選択可能なアイコンに対して上下左右方向へのカーソル移動を可能にしてそのカーソル移動により項目を選択するために使用するセレクトキー３０４２、ダイヤルキー３０４１やセレクトキー３０４２で選択した項目を確定する確定キー３０４３、図示せぬがメールを利用するときや文字入力中に記号を入力するときに使用するキーなどを備えている。表示部３０６上のＳＤ１，ＳＤ２はそれぞれ音量を下げる音量調整アイコン、音量を上げる音量調整アイコンを示している。
【００３８】
制御部３０３は、リモコンアプリケーション３２に基づいてテレビ装置をはじめとして電灯、エアコン、オーディオプレーヤ、ＤＶＤプレーヤなどの電気・電子機器を制御するためのコマンド信号を生成する。本実施の形態では、リモコンアプリケーション３２をインストールする環境下のため、制御部３０３は、コマンド信号として「チャンネル選択信号」、「音量調整信号」、「電灯電源投入／切断信号」、「ミュートオン・オフ信号」などを生成する。
【００３９】
赤外線送信部３４は、制御部３０３で生成された各種コマンド信号を赤外線信号に変換して外部に送信する。なお、コマンド信号の仕様は製造・販売メーカーによって異なる。そのため、リモコンアプリケーション３２内には、各社仕様に応じてチャンネル番号をコマンド信号に変換するためのチャンネル−コマンド変換テーブルが含まれている。なお、コマンド信号を送信するための手段としては、電磁波の一例として赤外線を例に挙げている。
【００４０】
表示部３０６は、たとえば液晶のディスプレイを備え、そのディスプレイにたとえばウェブブラウザを表示したり、電話やメールの機能を使うときの操作画面を表示したり、テレビ番組に関する情報などを表示する。記憶部３０７には、上述したように、ウェブブラウザ３１、リモコンアプリケーション３２、番組情報テーブル３３などを記憶している。ここで、番組情報テーブル３３は、「放送日」、「放送局コード」、「チャンネル番号」、「開始時間」、「終了時間」、「番組タイトル」の各データからなる。放送局情報としては、「放送局コード」、「キー局コード」、「チャンネル番号」、「放送局名」の各データからなる。番組情報テーブル３３は、番組情報テーブル２２の一部であり、番組情報テーブル２２のうちでユーザが入手した範囲のデータとなる。ここで、番組情報テーブル３３には、前述したサーバ１側に保存されるコマンド体系のコマンド情報（コマンド信号を生成するための情報）が含まれている。コマンド情報の一例としては、音量調整（音量レベルを下げるコマンド／音量レベルを上げるコマンド）、ミュートオン・オフなどである。
【００４１】
音声／サウンド制御部３０８は、スピーカ３０９やマイク３１０を接続させており、スピーカ３０９に対して呼出音、着信メロディ、着うた（登録商標）などのサウンド出力や通話時などの音声出力を制御したり、マイク３１０に対して通話時などの音声入力を制御する。
【００４２】
つづいて、番組情報テーブル２２について図５、図６および図７を用いて説明する。図５は本実施の形態による番組情報テーブルの一例を説明する図、図６は本実施の形態による地域情報テーブルの一例を説明する図、そして、図７は本実施の形態による放送局情報テーブルの一例を説明する図である。
【００４３】
番組情報テーブル３３は、地域ごとに設けられており、それぞれの地域に応じて地域コードが割り当てられている。図５は地域コードＡ−Ｎｏ．１の番組情報テーブルである。番組情報テーブルは、「放送日」、「放送局コード」、「チャンネル番号」、「開始時間」、「終了時間」、「ジャンルコード」、「放送モード」、「番組タイトル」、「サブタイトル」、「番組内容」、「出演者」、「番組詳細解説」、「予備」などの各データで構成される。この番組情報テーブルはたとえば１週間ごとに更新してもよく、もう少し短期もしくは長期で更新するようにしてもよい。地域情報テーブルは、地域を特定するために使用されるものであり、図６に示すように地域コードに地域名を対応させたデータから構成される。たとえば、地域コードＡ−Ｎｏ．１は「東京」、地域コードＡ−Ｎｏ．２は「大阪」、地域コードＡ−Ｎｏ．３は「名古屋」である。
【００４４】
放送局情報テーブルは、地域ごとに存在する放送局を特定するために使用されるものであり、「放送局コード」、「キー局コード」、「チャンネル番号」、「放送局名」などの各データで構成される。この放送局情報テーブルは、決まったものであるので、新たに放送局が造られない限り更新されることはない。放送局情報テーブルは、たとえば図７に示すように、地域コードＡ−Ｎｏ．１の「東京」には、放送局コードが「０３１」のＡ局、「０４１」のＢ局、「００４」のＣ局、「００５」のＤ局、「００６」のＥ局、「００７」のＦ局、「００８」のＧ局が記録されている。
【００４５】
また、Ａ局のチャンネル番号が「１」、Ｂ局のチャンネル番号が「２」、Ｃ局のチャンネル番号が「４」、Ｄ局のチャンネル番号が「６」、Ｅ局のチャンネル番号が「８」、Ｆ局のチャンネル番号が「１０」、Ｇ局のチャンネル番号が「１２」となっている。また、Ｃ局のキー局コードが「００１」、Ｄ局のキー局コードが「００２」、Ｅ局のキー局コードが「００３」、Ｆ局のキー局コードが「００４」、Ｇ局のキー局コードが「００５」となっている。なお、Ａ局とＢ局は共に全国共通となっているので、キー局コードは存在しない。
【００４６】
また、地域コードＡ−Ｎｏ．２の「大阪」には、放送局コードが「０３１」のＡ局、「０４１」のＢ局、「０５０７」のＨ局、「０５０４」のＩ局、「０５０６」のＪ局、「０５０５」のＫ局、「０５１３」のＬ局が記録されている。また、Ａ局のチャンネル番号が「２」、Ｂ局のチャンネル番号が「１２」、Ｈ局のチャンネル番号が「１０」、Ｉ局のチャンネル番号が「４」、Ｊ局のチャンネル番号が「８」、Ｋ局のチャンネル番号が「６」、Ｌ局のチャンネル番号が「１９」である。また、Ｈ局のキー局コードが「００１」、Ｉ局のキー局コードが「００２」、Ｊ局のキー局コードが「００３」、Ｋ局のキー局コードが「００４」、Ｌ局のキー局コードが「００５」となっている。なお、Ａ局とＢ局は共に全国共通となっているので、キー局コードは存在しない。
【００４７】
ここで、大阪のＨ局からＬ局までの各局のキー局コードが、東京のＣ局からＧ局までの各局のキー局コードと同一となっているが、これは放送ネットワークにおける提携関係を示している。すなわち、大阪のＨ局と東京のＣ局とが提携しており、互いの番組を中継する。また、大阪のＩ局と東京のＤ局とが提携しており、互いの番組を中継する。また、大阪のＪ局と東京のＥ局とが提携しており、互いの番組を中継する。
【００４８】
また、大阪のＫ局と東京のＦ局とが提携しており、互いの番組を中継する。また、大阪のＬ局と東京のＧ局とが提携しており、互いの番組を中継する。すなわち、たとえば「東京」のＣ局の番組を、「大阪」のＨ局で見ることができる。別に言い換えると「東京」の４チャンネルの番組を「大阪」の１０チャンネルで見ることができる。またその逆も言えるので、「大阪」の１０チャンネルの番組を「東京」の４チャンネルで見ることができる。
【００４９】
さて、これらの番組情報テーブル、放送局情報テーブル、地域情報テーブルは、サーバ１と携帯電話３との間でつぎのように利用される。サーバ１は、携帯電話３からアクセス要求が送られてくると、ＨＴＴＰを用いて通信を開始する。そして、サーバ１は、携帯電話３のユーザに対して地域コードを選択させるために、データベース２から地域情報テーブルを読み出して携帯電話３へ送信する。携帯電話３がこの地域情報テーブルを受信すると、ユーザに地域コードを選択させる画面が携帯電話３の表示部３０６に表示される。携帯電話３のユーザがこの選択画面を見て、携帯電話３のダイヤルキーあるいは上下左右に可動するキー（これをセレクトキーと呼ぶ）を操作して所望の地域コードを指定する。
【００５０】
ここで、たとえば「Ａ−Ｎｏ．１」の地域コードが指定されると、携帯電話３からサーバ１に対して地域コード「Ａ−Ｎｏ．１」が送信される。サーバ１は、携帯電話３から送信されてきた地域コードを受信すると、データベース２の放送局情報テーブルを参照して放送局を特定する。なお、「Ａ−Ｎｏ．１」の地域コードで指定される地域には、Ａ局、Ｂ局、Ｃ局、Ｄ局、Ｅ局、Ｆ局及びＧ局の７つの局が存在する。放送局が特定された後、時計部１０３から現在時刻が取得される。そして、データベース２上の番組情報テーブルから、今特定した放送局が現在放送している番組情報が取得される。
【００５１】
このようにして取得された番組情報と、「Ａ−Ｎｏ．１」の地域コードに対応する放送局情報とがサーバ１から携帯電話３へ送信される。その際、データベース２の全ての番組情報が送信されるのではなく、ユーザに番組内容を知らせるのに必要且つ十分な情報がユーザの操作に応答して任意に選択されて送信される。ここでは、「放送日」、「放送局コード」、「チャンネル番号」、「開始時間」、「終了時間」、「番組タイトル」の各データが選択されて送信する。
【００５２】
また、放送局情報はひとつであるが、番組情報は放送局の数だけ存在するものとする。これらの番組情報を送信する順序は任意で構わない。
【００５３】
携帯電話３のリモコンアプリ３１は、まずは起動時に基本画面を表示する。ここでは、サーバ１よりすでに入手した番組情報と放送局情報とを用いて、チャンネル画面を作成して表示部３０６に表示する例が示されている。その際、放送局情報のキー局コードに基づいてテレビのチャンネルボタン（チャンネル番号）に対応する放送局名とサーバ１にアクセスしたときの時刻に放映されている番組情報に基づくテレビ番組のタイトルとが割り当てられる。
【００５４】
キー局コードをもたない放送局は、放送局コードが全国的に共通であるので、たとえば放送局コードが「００３１」をチャンネルボタン“１”に、放送局コードが「００４１」をチャンネルボタン“２”に決めるなどしておけばよい。あらかじめキー局コードをチャンネルボタンにそれぞれ割り当てておくことで、地域コードが変わっても、同じ番組を同じチャンネルボタンで視聴することが可能になる。
【００５５】
すなわち、習慣的にチャンネルボタンの位置で番組を覚えてしまえば、何処に行っても同じ番組を同じ位置のチャンネルボタンで視聴することが可能になる。携帯電話３のリモコンアプリ３２は、今回サーバ１にアクセスしたときの時刻の番組情報を取得した後は、次回新たな情報を取得するまで保持する。また、携帯電話３がサーバ１にアクセスしたときに放映されているテレビ番組の情報だけに限らず、その後数時間分、あるいは、ユーザが任意の期間を指定してその間に放映されるテレビ番組の情報を入手するようにしてもよい。
【００５６】
なお、本実施の形態では、ユーザによる時間指定も可能にしており、ユーザにより指定された時間に放送される番組の情報がサーバ１から携帯電話３へ送られる。また、「地域コード」は、携帯電話３のリモコンアプリ３２が現時点で自機を管轄している基地局（図示略）から得られる位置情報に基づいて生成することも可能である。
【００５７】
また、ユーザは必ずしも現在いる地で受信できる放送局の番組を希望するのではなく、たとえば出張先で視聴できる番組の情報を希望することもある。そこで、基地局から得られる位置情報に基づいて「地域コード」を生成する以外の手法も考えられる。この場合、基地局から得られる位置情報に基づいて「地域コード」を生成するモード（たとえば自動取得モード）と、サーバ１からの「地域情報」に基づいて選択するモード（たとえば手動取得モード）の２つのモードを用意しておいて、適宜ユーザが選択できるようにしてもよい。
【００５８】
以下、具体的な処理について図８〜図１４を用いて説明する。図８は本実施の形態によるデータベースに対する処理の一例を説明するフローチャート、図９は本実施の形態によるリモコンアプリのダウンロード処理の一例を説明するフローチャート、そして、図１０は本実施の形態による番組情報のダウンロード処理の一例を説明するフローチャートである。
【００５９】
まず、サーバ１においては（図８参照）、データベース２に対してインターネット５に接続される他の端末もしくは図示せぬサーバ１の操作部や外部インタフェーにより携帯電話に対するダウンロード用リモコンアプリの登録または更新が実行される（ステップＳＳ１１）。そして、同様に、サーバ１においては、データベース２に対してインターネット５に接続される他の端末もしくは図示せぬサーバ１の操作部や外部インタフェーにより携帯電話に対する番組情報の登録または更新が実行される（ステップＳＳ１２）。以上のステップＳＳ１１，ＳＳ１２の処理は、定期的もしくは不定期に実行されるものとする。
【００６０】
ここで、すでにデータベース２にダウンロード用リモコンアプリが登録されている状況下とする（図９参照）。携帯電話３からサーバ１へのアクセスがあると（ステップＭＳ２１）、そのアクセスがサーバ１により受け付けられる（ステップＳＳ２１）。サーバ１では、携帯電話３からのアクセスに応じてまずはウェブページ画面が作成され、そのウェブページ画面が送信される（ステップＳＳ２２）。このとき、一例として携帯電話３とサーバ１間は、ｈｔｔｐにより通信が行われるものとする。
【００６１】
携帯電話３では、サーバ１から送信されてきたウェブページ画面が受信されると、表示部３０６にそのウェブページが表示される（ステップＭＳ２２）。このとき、ユーザの操作によりサーバ１によって提供されるサイトのページは要求に応じたページへと切り替えられる。
【００６２】
図示せぬが、ユーザの操作によりリモコンアプリのダウンロードページにページ遷移が進み、さらにユーザの操作によりダウンロード用リモコンアプリのダウンロード要求がサーバ１に対して送信されると（ステップＭＳ２３）、サーバ１では、まずその要求が受け付けられて携帯電話３のユーザが会員かどうか判定される（ステップＳＳ２３）。
【００６３】
この会員判定は、図示せぬが、データベース２内に会員情報が登録されている前提で実行される。これは、ユーザに対するリモコンアプリの提供が会員に対するサービスであった場合の一例となる。もちろん、会員有無に関係なく、リモコンアプリを提供するシステムにも適用可能であることはいうまでもない。
【００６４】
携帯電話３のユーザが会員ではないという判定結果が得られた場合には（非会員）、携帯電話３との間で会員登録処理が実行され、処理はステップＳＳ２５へ移行する（ステップＳＳ２４）。一方、そうでない場合（会員）には、処理はそのままステップＳＳ２５へ移行する。
【００６５】
ステップＳＳ２５においては、ステップＳＳ２３ですでに受け付けられているダウンロード要求に応じてデータベース２からダウンロード用リモコンアプリ２２が読み出され、携帯電話３に対して送信（ダウンロード処理）される。携帯電話３では、サーバ１より送信されてくるダウンロード用リモコンアプリ２２がダウンロードされ、記憶部３０７にリモコンアプリ３２として登録される（ステップＭＳ２４）。このリモコンアプリ３２には、ユーザ指定のチャンネル番号を赤外線で送出する際のコマンド信号に変換するテーブルが含まれている。このようにして携帯電話３にリモコンアプリがダウンロードされると、以降はサーバ１より番組情報のダウンロードおよびリモコン操作が可能となる。
【００６６】
つづいて、番組情報のダウンロードについて図１０を用いて説明する。携帯電話３では、番組情報をダウンロードするためには、まずユーザの操作に応答してリモコンアプリ３２が起動される（ステップＭＳ３１）。そして、携帯電話３からサーバ１へのアクセスがあると（ステップＭＳ３２）、そのアクセスがサーバ１により受け付けられる（ステップＳＳ３１）。サーバ１では、携帯電話３からのアクセスに応じてまずはウェブページ画面が作成され、そのウェブページ画面が送信される（ステップＳＳ３２）。
【００６７】
携帯電話３では、サーバ１から送信されてきたウェブページ画面が受信されると、表示部３０６にそのウェブページが表示される（ステップＭＳ３３）。このとき、ユーザの操作によりサーバ１によって提供されるサイトのページは要求に応じたページへと切り替えられる。
【００６８】
図示せぬが、ユーザの操作により番組情報のダウンロードページにページ遷移が進み、さらにユーザの操作により番組情報のダウンロード要求がサーバ１に対して送信されると（ステップＭＳ３４）、サーバ１では、まずその要求が受け付けられて携帯電話３のユーザがリモコンアプリのダウンロード済みかどうか判定される（ステップＳＳ３３）。
【００６９】
ここで、ステップＭＳ３３およびＭＳ３４では、ユーザの操作によりサーバ１に対して任意の期間に対応する番組情報を特定する処理が実行されるものとする。この任意の期間とは、７：００や１９：００のような番組が放映されている時間、１７：００〜１９：００のような時間帯、２００４年１月２１日のような日、２００４年１月２１日〜同年２月２５日のような期間などを指す。
【００７０】
ステップＳＳ３３において、アプリのダウンロード済みの判定結果が得られた場合には、処理はステップＳ３５に移行するが、ダウンロード未完の判定結果が得られた場合には、ステップＳＳ３４のアプリダウンロード処理が実行されてから処理はステップＳＳ３５に移行する。
【００７１】
このようにして携帯電話３のアプリダウンロード状態が確認され、かつ、指定された期間の番組情報が確定すると、その指定期間かつ地域に応じた番組情報がデータベース２の番組情報２２から抽出されて読み出される。この読み出された番組情報は携帯電話３に対して送信（ダウンロード処理）される（ステップＳＳ３５）。
【００７２】
ここで、地域の情報をサーバ１が知る方法としては、ステップＭＳ３３およびステップＳＳ３２の通信時に携帯電話３からユーザ操作による指定もしくは携帯電話３がＧＰＳ機能を有している場合に携帯電話３の位置情報として取り込む方法が考えられる。サーバ１では、ＧＰＳなどの位置情報か、直接ユーザが指定する地域情報から番組情報の地域を割り出すようにすればよい。
【００７３】
携帯電話３では、サーバ１から番組情報が送信されてくると、ダウンロード処理が開始され、ダウンロードされた番組情報３３が記憶部３０７に記憶される（ステップＭＳ３５）。このようにして、携帯電話３にはテレビの番組切り替えが可能な体制が整うことになる。
【００７４】
つづいて、リモコン操作について図１１〜図１４を用いて説明する。図１１は本実施の形態による着信制御を説明するフローチャート、図１２は電話着信時制御設定を説明するフローチャート、図１３は設定に基づく電話着信時制御を説明するフローチャート、そして、図１４は音量復帰処理を説明するフローチャートである。携帯電話３では（図１１参照）、まずユーザの操作によりリモコンアプリ３２が起動される（ステップＭＳ４１）。この起動により、記憶部３０７より番組情報３３が読み出され、あらかじめ決められた画面構成（図８参照）でリモコン操作のための画面が形成される。
【００７５】
そして、画面上のたとえばチャンネルボタンに対応する実際のダイヤルキー３０４１などがユーザの操作を受け付ける検出状態となる。このようにして操作部３０４でのボタン操作の検出が開始された後は、ボタン操作に応じてそのボタンから対応する処理機能が判断される。すなわち、終了操作が確認された場合には、このリモコンアプリの処理はここで終了する。
【００７６】
また、カーソル操作および音量調整ボタンＳＤ１またはＳＤ２により音量操作が確認された場合には、その操作量に応じて音量のパラメータが調整され、音量信号として赤外線送信部３４に出力される。これにより、赤外線送信部３４から音量を調整するための赤外線信号がテレビ装置６に対して送出される。
【００７７】
また、音量操作や決定操作（確定キー３０４３）ではなく、カーソル操作（セレクトキー３０４２）が確認された場合には、図示せぬがカーソル操作に応じてカーソルの移動が表示制御される。または、音量操作や決定操作（確定キー３０４３）、カーソル操作（セレクトキー３０４２）ではなく、アイコン確定操作が確認された場合には、その確定対象のアイコンに応じた赤外線信号が赤外線送信部３４から送出される。
【００７８】
また、決定操作（確定キー３０４３）が確認された場合には、番組情報３３が参照され、カーソル位置のアイコンに対応するテレビ局からチャンネル番号が決定される。さらにチャンネル−コマンド変換テーブルが参照されてその決定されたチャンネル番号がその番号に対応するコマンド信号に変換される。
【００７９】
このようにして得られたコマンド信号は赤外線送信部３４に出力される。その結果、赤外線送信部３４からコマンド信号が赤外線信号に変換されて外部に出力される。これにより、赤外線送信部３４からテレビ番組のチャンネルを切り替えるための赤外線信号がテレビ装置６に対して送出される。
【００８０】
さて、リモコンアプリ起動後（ステップＭＳ４１）、まず電話着信時制御設定が行われる（ステップＭＳ４２）。すなわち、たとえば図１２に示したように、設定タイプが表示画面に表示されて問われ（ステップＭＳ４２１）、ユーザによる操作部３０４の操作に応じて２つのタイプから選定が行われる。第一のタイプは、電話の着信があったときに外部機器たとえばテレビ装置６に対して音量を徐々に一定量まで減少させる音量調整パターン（一定量の減少）である。第二のタイプは、電話の着信があったときに外部機器たとえばテレビ装置６に対して音量をミュートさせる音量調整パターン（ミュート）である。
【００８１】
そして、第一のタイプが選定された場合には、着信時音量制御フラグは“０”（ゼロ）に設定され、記憶部３０７に記憶される（ステップＭＳ４２２）。一方、第二のタイプが選定された場合には、着信時音量制御フラグは“１”に設定され、記憶部３０７に記憶される（ステップＭＳ４２３）。
【００８２】
このようにして、いずれかのタイプが設定されて、リモコン操作の有無が検出される（図１１のステップＭＳ４４）。リモコン操作が検出されると（ステップＭＳ４４のＹＥＳルート）、前述したリモコン操作の如くリモコン操作に応じた処理が実行される（ステップＭＳ４３）。そして、処理はステップＭＳ４３に戻る。
【００８３】
リモコン操作がなければ（ステップＭＳ４４のＮＯルート）、着信の有無が確認される（ステップＭＳ４５）。そして、着信がないか（ステップＭＳ４５のＮＯルート）、あってもメール着信が確認された場合（ステップＭＳ４６のＮＯルート）には処理はステップＭＳ４４に戻る。ここで、メール処理は省略する。
【００８４】
着信があり（ステップＭＳ４５のＹＥＳルート）、電話着信が確認された場合には（ステップＭＳ４６のＹＥＳルート）、ステップＭＳ４２において設定された電話着信時制御が行われる（ステップＭＳ４７）。
【００８５】
すなわち（図１３参照）、記憶部３０７に記憶された着信時音量調整フラグが読み出される。そして、着信時音量制御フラグが“０”（ゼロ）という判断がなされた場合には（ステップＭＳ４７１のＹＥＳルート）、現音量を一定量下げる制御が必要なので、テレビ装置の機種に合致したコマンド体系のうち音量レベルを下げるコマンド信号が読み出される（ステップＭＳ４７２）。
【００８６】
そして、一定量すなわち一定回数分のコマンド出力が必要なので、あらかじめ一定量に相当する回数Ｎがｎに設定され（ステップＭＳ４７４）、コマンド信号が赤外線送信部３４に出力され、そこでコマンド信号が赤外線信号に変換されて送信される（ステップＭＳ４７５）。このリモート制御により、テレビ装置６の赤外線受光部６１に赤外線信号が受光され、テレビの音量がひとつ下げられる。
【００８７】
以降はｎがひとつデクリメントされ（ステップＭＳ４７６）、ステップＭＳ４７５の処理がさらに（Ｎ−１）回分繰り返し実行される。すなわち、処理はｎ＝０になるまで繰り返し実行される（ステップＭＳ４７７）。ｎが“０”（ゼロ）に達すると（ステップＭＳ４７７のＹＥＳルート）、処理は図１１の処理に戻り、ステップＭＳ４８から再開される。
【００８８】
一方（図１３参照）、記憶部３０７に記憶された着信時音量調整フラグが読み出されたとき、着信時音量制御フラグが“１”という判断がなされた場合には（ステップＭＳ４７１のＮＯルート）、現音量をミュートオンする制御が必要なので、テレビ装置の機種に合致したコマンド体系のうちミュートオンするためのコマンド信号が読み出される（ステップＭＳ４７３）。
【００８９】
そして、テレビ装置側の受信チャンスを増やすとともにユーザが着信とともに通話を即開始してもリモート制御に支障が生じないように、一定回数分のコマンド出力が必要となる。そこで、あらかじめ一定回数に相当する回数Ｎがｎに設定され（ステップＭＳ４７４）、コマンド信号が赤外線送信部３４に出力され、そこでコマンド信号が赤外線信号に変換されて送信される（ステップＭＳ４７５）。このリモート制御により、テレビ装置６の赤外線受光部６１に赤外線信号が受光され、テレビの音量がミュートオンされる。
【００９０】
以降はｎがひとつデクリメントされ（ステップＭＳ４７６）、ステップＭＳ４７５の処理がさらに（Ｎ−１）回分繰り返し実行される。すなわち、処理はｎ＝０になるまで繰り返し実行される（ステップＭＳ４７７）。ｎが“０”（ゼロ）に達すると（ステップＭＳ４７７のＹＥＳルート）、処理は図１１の処理に戻り、ステップＭＳ４８から再開される。
【００９１】
このようにして、着信時音量制御がなされると、オフフック操作の検出が開始される（ステップＭＳ４８）。そして、オフフック操作が検出されると（ステップＭＳ４８のＹＥＳルート）、今度は音量復帰処理が開始される（ステップＭＳ４９）。
【００９２】
すなわち（図１４参照）、記憶部３０７に記憶された着信時音量調整フラグが読み出される。そして、着信時音量制御フラグが“０”（ゼロ）という判断がなされた場合には（ステップＭＳ４９１のＹＥＳルート）、現音量を一定量上げる制御が必要なので、テレビ装置の機種に合致したコマンド体系のうち音量レベルを上げるコマンド信号が読み出される（ステップＭＳ４９２）。
【００９３】
そして、一定量すなわち一定回数分のコマンド出力が必要なので、あらかじめ一定量に相当する回数Ｎがｎに設定され（ステップＭＳ４９４）、コマンド信号が赤外線送信部３４に出力され、そこでコマンド信号が赤外線信号に変換されて送信される（ステップＭＳ４９５）。このリモート制御により、テレビ装置６の赤外線受光部６１に赤外線信号が受光され、テレビの音量がひとつ上げられる。
【００９４】
以降はｎがひとつデクリメントされ（ステップＭＳ４９６）、ステップＭＳ４９５の処理がさらに（Ｎ−１）回分繰り返し実行される。すなわち、処理はｎ＝０になるまで繰り返し実行される（ステップＭＳ４９７）。ｎが“０”（ゼロ）に達すると（ステップＭＳ４９７のＹＥＳルート）、処理は図１１の処理に戻り、全処理が終了する。
【００９５】
一方（図１４参照）、記憶部３０７に記憶された着信時音量調整フラグが読み出されたとき、着信時音量制御フラグが“１”という判断がなされた場合には（ステップＭＳ４９１のＮＯルート）、現音量をミュートオフする制御が必要なので、テレビ装置の機種に合致したコマンド体系のうちミュートオフするためのコマンド信号が読み出される（ステップＭＳ４９３）。
【００９６】
そして、テレビ装置側の受信チャンスを増やせるように、一定回数分のコマンド出力が必要となる。そこで、あらかじめ一定回数に相当する回数Ｎがｎに設定され（ステップＭＳ４９４）、コマンド信号が赤外線送信部３４に出力され、そこでコマンド信号が赤外線信号に変換されて送信される（ステップＭＳ４９５）。このリモート制御により、テレビ装置６の赤外線受光部６１に赤外線信号が受光され、テレビの音量がミュートオフされ、音量は復帰する。
【００９７】
以降はｎがひとつデクリメントされ（ステップＭＳ４９６）、ステップＭＳ４９５の処理がさらに（Ｎ−１）回分繰り返し実行される。すなわち、処理はｎ＝０になるまで繰り返し実行される（ステップＭＳ４９７）。ｎが“０”（ゼロ）に達すると（ステップＭＳ４９７のＹＥＳルート）、処理は図１１の処理に戻り、本処理は終了する。
【００９８】
以上説明したように、本実施の形態によれば、テレビ装置などの外部機器側に特別な構成を設けなくても、電話着信時においてオフフック操作のタイミングに関係なく、テレビ装置などの外部機器の音量を遠隔により適度に自動調整することが可能である。これにより、電話をかけてきた相手に余計な待ち時間を与えず済み、受け側も自然なタイミングで通話を開始することが可能である。また、通話が終了すると、音量を自動復帰させることが可能なので、わざわざ元の音量に手操作で復帰させるような煩わしさから解放される。
【産業上の利用可能性】
【００９９】
携帯電話などの携帯端末を扱う全般への適用が可能である。
【図面の簡単な説明】
【０１００】
【図１】本発明の一実施の形態に係るシステムを概略的に説明する概略構成図である。
【図２】本実施の形態によるサーバ１の一内部構成例を示すブロック図である。
【図３】本実施の形態による携帯電話３の一内部構成例を示すブロック図である。
【図４】本実施の形態による携帯電話３の外観形状の一例を示す図である。
【図５】本実施の形態による番組情報テーブルの一例を説明する図である。
【図６】本実施の形態による地域情報テーブルの一例を説明する図である。
【図７】本実施の形態による放送局情報テーブルの一例を説明する図である。
【図８】本実施の形態によるリモコンアプリのダウンロード処理の一例を説明するフローチャートである。
【図９】本実施の形態による番組情報のダウンロード処理の一例を説明するフローチャートである。
【図１０】本実施の形態による番組情報のダウンロード処理の一例を説明するフローチャートである。
【図１１】本実施の形態による着信制御を説明するフローチャートである。
【図１２】本実施の形態による電話着信時制御設定を説明するフローチャートである。
【図１３】本実施の形態による設定に基づく電話着信時制御を説明するフローチャートである。
【図１４】本実施の形態による音量復帰処理を説明するフローチャートである。
【符号の説明】
【０１０１】
３  携帯電話
３２  リモコンアプリ
３４  赤外線送信部
３０３  制御部
３０７  記憶部
【図１】
2005295272.tif 000003
【図２】
2005295272.tif 000004
【図３】
2005295272.tif 000005
【図４】
2005295272.tif 000006
【図５】
2005295272.tif 000007
【図６】
2005295272.tif 000008
【図７】
2005295272.tif 000009
【図８】
2005295272.tif 000010
【図９】
2005295272.tif 000011
【図１０】
2005295272.tif 000012
【図１１】
2005295272.tif 000013
【図１２】
2005295272.tif 000014
【図１３】
2005295272.tif 000015
【図１４】
2005295272.tif 000016
【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
電話機能を有する携帯端末であって、
外部機器の音量を制御するためのコマンド情報を記憶するコマンド記憶手段と、
電話の着信を判定する判定手段と、
前記判定手段で電話の着信を確認した場合に前記コマンド記憶手段に記憶されたコマンド情報を読み出し、音量を一定量まで下げる所定回数分だけ繰り返して音量を下げる信号を生成する第１信号生成手段と、
前記第１信号生成手段で信号が生成される度に当該信号を光信号に変換して送出する第１光送出手段と、
を備えたことを特徴とする携帯端末。
【請求項２】
請求項１に記載の携帯端末において、さらに、
電話のオンフック信号を検出する検出手段と、
前記検出手段でオンフック信号が検出された場合に前記コマンド記憶手段に記憶されたコマンド情報を読み出して音量を上げる信号を生成する第２信号生成手段と、
前記第２信号生成手段で生成された音量を上げる信号を光信号に変換して送出する第２光送出手段と、
を備えたことを特徴とする携帯端末。
【請求項３】
請求項１に記載の携帯端末において、さらに、
電話のオンフック信号を検出する検出手段と、
前記検出手段でオンフック信号が検出された場合に前記コマンド記憶手段に記憶されたコマンド情報を読み出し、音量を一定量まで上げる所定回数分だけ繰り返して音量を上げる信号を生成する第２信号生成手段と、
前記第２信号生成手段で信号が生成される度に当該信号を光信号に変換して送出する第２光送出手段と、
を備えたことを特徴とする携帯端末。
【請求項４】
外部機器の音量を制御するためのコマンド情報をメモリに記憶しており、電話機能および赤外線出力機能を有する携帯端末による外部機器の音量制御方法であって、
電話の着信を判定する第１ステップと、
前記第１ステップで電話の着信を確認した場合に前記メモリに記憶されたコマンド情報を読み出し、音量を一定量まで下げる所定回数分だけ繰り返して音量を下げる信号を生成する第２ステップと、
前記ステップで信号が生成される度に当該信号を光信号に変換して送出する第３ステップと
の処理をコンピュータにより実行することを特徴とする外部機器の音量制御方法。
【請求項５】
請求項４に記載の外部機器の音量制御方法において、さらに、
電話のオンフック信号を検出する第４ステップと、
前記第４ステップでオンフック信号が検出された場合に前記メモリに記憶されたコマンド情報を読み出して音量を上げる信号を生成する第５ステップと、
前記第５ステップで生成された音量を上げる信号を光信号に変換して送出する第６ステップと
の処理をコンピュータにより実行することを特徴とする外部機器の音量制御方法。
【請求項６】
請求項４に記載の外部機器の音量制御方法において、さらに、
電話のオンフック信号を検出する第４ステップと、
前記第４ステップでオンフック信号が検出された場合に前記メモリに記憶されたコマンド情報を読み出し、音量を一定量まで上げる所定回数分だけ繰り返して音量を上げる信号を生成する第５ステップと、
前記第５ステップで信号が生成される度に当該信号を光信号に変換して送出する第６ステップと
の処理をコンピュータにより実行することを特徴とする外部機器の音量制御方法。
【請求項７】
外部機器の音量を制御するためのコマンド情報をメモリに記憶しており、電話機能および赤外線出力機能を有する携帯端末において外部機器の音量制御をコンピュータの処理により実行する音量制御プログラムであって、
電話の着信を判定する第１ステップと、
前記第１ステップで電話の着信を確認した場合に前記メモリに記憶されたコマンド情報を読み出し、音量を一定量まで下げる所定回数分だけ繰り返して音量を下げる信号を生成する第２ステップと、
前記ステップで信号が生成される度に当該信号を光信号に変換して送出する第３ステップと
の処理をコンピュータにより実行させることを特徴とする音量制御プログラム。
【請求項８】
請求項７に記載の音量制御プログラムにおいて、さらに、
電話のオンフック信号を検出する第４ステップと、
前記第４ステップでオンフック信号が検出された場合に前記メモリに記憶されたコマンド情報を読み出して音量を上げる信号を生成する第５ステップと、
前記第５ステップで生成された音量を上げる信号を光信号に変換して送出する第６ステップと
の処理をコンピュータにより実行させることを特徴とする音量制御プログラム。
【請求項９】
請求項７に記載の音量制御プログラムにおいて、さらに、
電話のオンフック信号を検出する第４ステップと、
前記第４ステップでオンフック信号が検出された場合に前記メモリに記憶されたコマンド情報を読み出し、音量を一定量まで上げる所定回数分だけ繰り返して音量を上げる信号を生成する第５ステップと、
前記第５ステップで信号が生成される度に当該信号を光信号に変換して送出する第６ステップと
の処理をコンピュータにより実行させることを特徴とする音量制御プログラム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
上述した課題を解決し、上記目的を達成するため、請求項１の発明に係る携帯端末は、電話機能を有する携帯端末であって、外部機器の音量を制御するためのコマンド情報を記憶するコマンド記憶手段と、電話の着信を判定する判定手段と、前記判定手段で電話の着信を確認した場合に前記コマンド記憶手段に記憶されたコマンド情報を読み出し、音量を一定量まで下げる所定回数分だけ繰り返して音量を下げる信号を生成する第１信号生成手段と、前記第１信号生成手段で信号が生成される度に当該信号を光信号に変換して送出する第１光送出手段と、を備えたことを特徴とするものである。
【手続補正４】
【補正対象書類名】明細書
【補正対象項目名】００１１
【補正方法】変更
【補正の内容】
【００１１】
請求項２の発明は、請求項１において、さらに、電話のオンフック信号を検出する検出手段と、前記検出手段でオンフック信号が検出された場合に前記コマンド記憶手段に記憶されたコマンド情報を読み出して音量を上げる信号を生成する第２信号生成手段と、前記第２信号生成手段で生成された音量を上げる信号を光信号に変換して送出する第２光送出手段と、を備えたことを特徴とするものである。
【手続補正５】
【補正対象書類名】明細書
【補正対象項目名】００１２
【補正方法】変更
【補正の内容】
【００１２】
請求項３の発明は、請求項１において、さらに、電話のオンフック信号を検出する検出手段と、前記検出手段でオンフック信号が検出された場合に前記コマンド記憶手段に記憶されたコマンド情報を読み出し、音量を一定量まで上げる所定回数分だけ繰り返して音量を上げる信号を生成する第２信号生成手段と、前記第２信号生成手段で信号が生成される度に当該信号を光信号に変換して送出する第２光送出手段と、を備えたことを特徴とするものである。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項４の発明に係る外部機器の音量制御方法は、外部機器の音量を制御するためのコマンド情報をメモリに記憶しており、電話機能および赤外線出力機能を有する携帯端末による外部機器の音量制御方法であって、電話の着信を判定する第１ステップと、前記第１ステップで電話の着信を確認した場合に前記メモリに記憶されたコマンド情報を読み出し、音量を一定量まで下げる所定回数分だけ繰り返して音量を下げる信号を生成する第２ステップと、前記ステップで信号が生成される度に当該信号を光信号に変換して送出する第３ステップとの処理をコンピュータにより実行することを特徴とするものである。
【手続補正１０】
【補正対象書類名】明細書
【補正対象項目名】００１７
【補正方法】変更
【補正の内容】
【００１７】
請求項５の発明は、請求項４において、さらに、電話のオンフック信号を検出する第４ステップと、前記第４ステップでオンフック信号が検出された場合に前記メモリに記憶されたコマンド情報を読み出して音量を上げる信号を生成する第５ステップと、前記第５ステップで生成された音量を上げる信号を光信号に変換して送出する第６ステップとの処理をコンピュータにより実行することを特徴とするものである。
【手続補正１１】
【補正対象書類名】明細書
【補正対象項目名】００１８
【補正方法】変更
【補正の内容】
【００１８】
請求項６の発明は、請求項４において、さらに、電話のオンフック信号を検出する第４ステップと、前記第４ステップでオンフック信号が検出された場合に前記メモリに記憶されたコマンド情報を読み出し、音量を一定量まで上げる所定回数分だけ繰り返して音量を上げる信号を生成する第５ステップと、前記第５ステップで信号が生成される度に当該信号を光信号に変換して送出する第６ステップとの処理をコンピュータにより実行することを特徴とするものである。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
請求項７の発明に係る外部機器の音量制御プログラムは、外部機器の音量を制御するためのコマンド情報をメモリに記憶しており、電話機能および赤外線出力機能を有する携帯端末において外部機器の音量制御をコンピュータの処理により実行する音量制御プログラムであって、電話の着信を判定する第１ステップと、前記第１ステップで電話の着信を確認した場合に前記メモリに記憶されたコマンド情報を読み出し、音量を一定量まで下げる所定回数分だけ繰り返して音量を下げる信号を生成する第２ステップと、前記ステップで信号が生成される度に当該信号を光信号に変換して送出する第３ステップとの処理をコンピュータにより実行させることを特徴とするものである。
【手続補正１６】
【補正対象書類名】明細書
【補正対象項目名】００２３
【補正方法】変更
【補正の内容】
【００２３】
請求項８の発明は、請求項７において、さらに、電話のオンフック信号を検出する第４ステップと、前記第４ステップでオンフック信号が検出された場合に前記メモリに記憶されたコマンド情報を読み出して音量を上げる信号を生成する第５ステップと、前記第５ステップで生成された音量を上げる信号を光信号に変換して送出する第６ステップとの処理をコンピュータにより実行させることを特徴とするものである。
【手続補正１７】
【補正対象書類名】明細書
【補正対象項目名】００２４
【補正方法】変更
【補正の内容】
【００２４】
請求項９の発明は、請求項７の発明において、さらに、電話のオンフック信号を検出する第４ステップと、前記第４ステップでオンフック信号が検出された場合に前記メモリに記憶されたコマンド情報を読み出し、音量を一定量まで上げる所定回数分だけ繰り返して音量を上げる信号を生成する第５ステップと、前記第５ステップで信号が生成される度に当該信号を光信号に変換して送出する第６ステップとの処理をコンピュータにより実行させることを特徴とするものである。
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００３１
【補正方法】変更
【補正の内容】
【００３１】
サーバ１は、データベース２を接続させ、インターネット５を介して他の端末と通信を行うとともに、携帯電話網４およびインターネット５を介して携帯端末からのアクセスに応じてデータベース２に格納しているダウンロード用リモコンアプリケーション２１やテレビ放送の番組情報２２をダウンロードさせる処理をプログラム１１によって全体的に制御する。データベース２は、サーバ１に接続された大規模記憶装置であり、ダウンロード用リモコンアプリケーション２１、テレビ放送の番組情報テーブル２２などを記憶するとともにサーバ１の制御下で当該サーバ１に対してデータを提供するものである。
【手続補正２１】
【補正対象書類名】明細書
【補正対象項目名】００５９
【補正方法】変更
【補正の内容】
【００５９】
まず、サーバ１においては（図８参照）、データベース２に対してインターネット５に接続される他の端末もしくは図示せぬサーバ１の操作部や外部インタフェースにより携帯電話に対するダウンロード用リモコンアプリの登録または更新が実行される（ステップＳＳ１１）。そして、同様に、サーバ１においては、データベース２に対してインターネット５に接続される他の端末もしくは図示せぬサーバ１の操作部や外部インタフェーにより携帯電話に対する番組情報の登録または更新が実行される（ステップＳＳ１２）。以上のステップＳＳ１１，ＳＳ１２の処理は、定期的もしくは不定期に実行されるものとする。
【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
電話機能を有する携帯端末であって、
外部機器の音量を制御するためのコマンド情報を記憶するコマンド記憶手段と、
電話の着信を判定する判定手段と、
前記判定手段で電話の着信を確認した場合に前記コマンド記憶手段に記憶されたコマンド情報を読み出し、音量を徐々に一定量まで下げるために、一回毎に音量を減少させる信号を所定回数分繰り返して生成する第１信号生成手段と、
前記第１信号生成手段で信号が生成される度に当該信号を光信号に変換して送出する第１光送出手段と、
を備えたことを特徴とする携帯端末。
【請求項２】
請求項１に記載の携帯端末において、さらに、
電話のオンフック信号を検出する検出手段と、
前記検出手段でオンフック信号が検出された場合に前記コマンド記憶手段に記憶されたコマンド情報を読み出して音量を上げる信号を生成する第２信号生成手段と、
前記第２信号生成手段で生成された音量を上げる信号を光信号に変換して送出する第２光送出手段と、
を備えたことを特徴とする携帯端末。
【請求項３】
請求項１に記載の携帯端末において、さらに、
電話のオンフック信号を検出する検出手段と、
前記検出手段でオンフック信号が検出された場合に前記コマンド記憶手段に記憶されたコマンド情報を読み出し、音量を徐々に一定量まで上げるために、一回毎に音量を増加させる信号を所定回数分だけ繰り返して生成する第２信号生成手段と、
前記第２信号生成手段で信号が生成される度に当該信号を光信号に変換して送出する第２光送出手段と、
を備えたことを特徴とする携帯端末。
【請求項４】
外部機器の音量を制御するためのコマンド情報をメモリに記憶しており、電話機能および赤外線出力機能を有する携帯端末による外部機器の音量制御方法であって、
電話の着信を判定する第１ステップと、
前記第１ステップで電話の着信を確認した場合に前記メモリに記憶されたコマンド情報を読み出し、音量を徐々に一定量まで下げるために、一回毎に音量を減少させる信号を所定回数分繰り返して生成する第２ステップと、
前記ステップで信号が生成される度に当該信号を光信号に変換して送出する第３ステップと
の処理をコンピュータにより実行することを特徴とする外部機器の音量制御方法。
【請求項５】
請求項４に記載の外部機器の音量制御方法において、さらに、
電話のオンフック信号を検出する第４ステップと、
前記第４ステップでオンフック信号が検出された場合に前記メモリに記憶されたコマンド情報を読み出して音量を上げる信号を生成する第５ステップと、
前記第５ステップで生成された音量を上げる信号を光信号に変換して送出する第６ステップと
の処理をコンピュータにより実行することを特徴とする外部機器の音量制御方法。
【請求項６】
請求項４に記載の外部機器の音量制御方法において、さらに、
電話のオンフック信号を検出する第４ステップと、
前記第４ステップでオンフック信号が検出された場合に前記メモリに記憶されたコマンド情報を読み出し、音量を徐々に一定量まで上げるために、一回毎に音量を増加させる信号を所定回数分だけ繰り返して生成する第５ステップと、
前記第５ステップで信号が生成される度に当該信号を光信号に変換して送出する第６ステップと
の処理をコンピュータにより実行することを特徴とする外部機器の音量制御方法。
【請求項７】
外部機器の音量を制御するためのコマンド情報をメモリに記憶しており、電話機能および赤外線出力機能を有する携帯端末において外部機器の音量制御をコンピュータの処理により実行する音量制御プログラムであって、
電話の着信を判定する第１ステップと、
前記第１ステップで電話の着信を確認した場合に前記メモリに記憶されたコマンド情報を読み出し、音量を徐々に一定量まで下げるために、一回毎に音量を減少させる信号を所定回数分繰り返して生成する第２ステップと、
前記ステップで信号が生成される度に当該信号を光信号に変換して送出する第３ステップと
の処理をコンピュータにより実行させることを特徴とする音量制御プログラム。
【請求項８】
請求項７に記載の音量制御プログラムにおいて、さらに、
電話のオンフック信号を検出する第４ステップと、
前記第４ステップでオンフック信号が検出された場合に前記メモリに記憶されたコマンド情報を読み出して音量を上げる信号を生成する第５ステップと、
前記第５ステップで生成された音量を上げる信号を光信号に変換して送出する第６ステップと
の処理をコンピュータにより実行させることを特徴とする音量制御プログラム。
【請求項９】
請求項７に記載の音量制御プログラムにおいて、さらに、
電話のオンフック信号を検出する第４ステップと、
前記第４ステップでオンフック信号が検出された場合に前記メモリに記憶されたコマンド情報を読み出し、音量を徐々に一定量まで上げるために、一回毎に音量を増加させる信号を所定回数分だけ繰り返して生成する第５ステップと、
前記第５ステップで信号が生成される度に当該信号を光信号に変換して送出する第６ステップと
の処理をコンピュータにより実行させることを特徴とする音量制御プログラム。
【手続補正２】
【補正対象書類名】明細書
【補正対象項目名】００１０
【補正方法】変更
【補正の内容】
【００１０】
上述した課題を解決し、上記目的を達成するため、請求項１の発明に係る携帯端末は、電話機能を有する携帯端末であって、外部機器の音量を制御するためのコマンド情報を記憶するコマンド記憶手段と、電話の着信を判定する判定手段と、前記判定手段で電話の着信を確認した場合に前記コマンド記憶手段に記憶されたコマンド情報を読み出し、音量を徐々に一定量まで下げるために、一回毎に音量を減少させる信号を所定回数分繰り返して生成する第１信号生成手段と、前記第１信号生成手段で信号が生成される度に当該信号を光信号に変換して送出する第１光送出手段と、を備えたことを特徴とするものである。
【手続補正３】
【補正対象書類名】明細書
【補正対象項目名】００１２
【補正方法】変更
【補正の内容】
【００１２】
請求項３の発明は、請求項１において、さらに、電話のオンフック信号を検出する検出手段と、前記検出手段でオンフック信号が検出された場合に前記コマンド記憶手段に記憶されたコマンド情報を読み出し、音量を徐々に一定量まで上げるために、一回毎に音量を増加させる信号を所定回数分だけ繰り返して生成する第２信号生成手段と、前記第２信号生成手段で信号が生成される度に当該信号を光信号に変換して送出する第２光送出手段と、を備えたことを特徴とするものである。
【手続補正４】
【補正対象書類名】明細書
【補正対象項目名】００１６
【補正方法】変更
【補正の内容】
【００１６】
請求項４の発明に係る外部機器の音量制御方法は、外部機器の音量を制御するためのコマンド情報をメモリに記憶しており、電話機能および赤外線出力機能を有する携帯端末による外部機器の音量制御方法であって、電話の着信を判定する第１ステップと、前記第１ステップで電話の着信を確認した場合に前記メモリに記憶されたコマンド情報を読み出し、音量を徐々に一定量まで下げるために、一回毎に音量を減少させる信号を所定回数分繰り返して生成する第２ステップと、前記ステップで信号が生成される度に当該信号を光信号に変換して送出する第３ステップとの処理をコンピュータにより実行することを特徴とするものである。
【手続補正５】
【補正対象書類名】明細書
【補正対象項目名】００１８
【補正方法】変更
【補正の内容】
【００１８】
請求項６の発明は、請求項４において、さらに、電話のオンフック信号を検出する第４ステップと、前記第４ステップでオンフック信号が検出された場合に前記メモリに記憶されたコマンド情報を読み出し、音量を徐々に一定量まで上げるために、一回毎に音量を増加させる信号を所定回数分だけ繰り返して生成する第５ステップと、前記第５ステップで信号が生成される度に当該信号を光信号に変換して送出する第６ステップとの処理をコンピュータにより実行することを特徴とするものである。
【手続補正６】
【補正対象書類名】明細書
【補正対象項目名】００２２
【補正方法】変更
【補正の内容】
【００２２】
請求項７の発明に係る外部機器の音量制御プログラムは、外部機器の音量を制御するためのコマンド情報をメモリに記憶しており、電話機能および赤外線出力機能を有する携帯端末において外部機器の音量制御をコンピュータの処理により実行する音量制御プログラムであって、電話の着信を判定する第１ステップと、前記第１ステップで電話の着信を確認した場合に前記メモリに記憶されたコマンド情報を読み出し、音量を徐々に一定量まで下げるために、一回毎に音量を減少させる信号を所定回数分繰り返して生成する第２ステップと、前記ステップで信号が生成される度に当該信号を光信号に変換して送出する第３ステップとの処理をコンピュータにより実行させることを特徴とするものである。
【手続補正７】
【補正対象書類名】明細書
【補正対象項目名】００２３
【補正方法】変更
【補正の内容】
【００２３】
請求項９の発明は、請求項７の発明において、さらに、電話のオンフック信号を検出する第４ステップと、前記第４ステップでオンフック信号が検出された場合に前記メモリに記憶されたコマンド情報を読み出し、音量を徐々に一定量まで上げるために、一回毎に音量を増加させる信号を所定回数分だけ繰り返して生成する第５ステップと、前記第５ステップで信号が生成される度に当該信号を光信号に変換して送出する第６ステップとの処理をコンピュータにより実行させることを特徴とするものである。
【手続補正８】
【補正対象書類名】明細書
【補正対象項目名】００９１
【補正方法】変更
【補正の内容】
【００９１】
このようにして、着信音量制御がなされると、オンフック操作の検出が開始される（ステップＭＳ４８）。そして、オンフック操作が検出されると（ステップＭＳ４８のＹＥＳルート）、今度は音量復帰処理が開始される（ステップＭＳ４９）。